(57)【要約】【課題】従来、モジュール構造の部品の不正な取り付けや取り外しを防止するために装置に鍵を取り付けており、部品の取り付けや取り外し作業を行う場合に鍵の開錠や施錠作業を本体装置の前で行う必要がある。【解決手段】本発明は、モジュール構造の部品の不正な取り付けや取り外しを防止するため、本体装置とモジュール構造の部品を接続するための接続部に自動開閉式ロックを有し、自動開閉式ロックを自動操作または管理コンソールからの遠隔操作により開錠や施錠する手段を提供する。【選択図】図３
2010024730.tif 000002
【特許請求の範囲】
【請求項１】
モジュール構造の機器の本体装置と、モジュール構造の部品と、前記本体装置または前記モジュール構造の部品を管理制御する管理コンソールからなり、前記本体装置は、モジュール構造の部品を取り付けるためのスペースと、本体装置とモジュール構造の部品を接続するための接続部と、モジュール構造の部品の不正取り付け取り外しを防止するための自動開閉式ロックと、自動開閉式ロックの開錠または施錠の動作を行うロック開閉手段と、自動開閉式ロックの開錠または施錠を判断しロック開閉手段を制御するロック制御手段と、ロック制御手段の不正操作を防止するためにバイオメトリクス、パスワードによってロック制御手段の操作者を特定する認証手段と、本体装置に取り付けられたモジュール構造の部品の種類および取り付けスペースの位置を特定する部品特定手段と、モジュール構造の部品の障害を検出する障害検出手段と、管理者が本体装置に対して設定した内容を記憶する記憶手段と、本体装置と管理コンソールが通信を行う通信手段を有し、前記管理コンソールは、管理者が管理コンソールに対して設定した内容を記憶する記憶手段と、管理コンソールと本体装置が通信を行う通信手段と、本体装置を制御する制御手段を有し、前記自動開閉式ロックを自動操作または管理コンソールからの遠隔操作により開錠または施錠することを特徴とするモジュール構造の機器の不正取り付け取り外し防止ロックシステム。
【請求項２】
請求項１のモジュール構造の機器の不正取り付け取り外し防止ロックシステムであって、本体装置からモジュール構造の部品を取り外す場合に前記自動開閉式ロックを開錠するために認証手段がバイオメトリクス、パスワードのどちらか一方または両方で操作者認証を行い、認証に一致した場合はロック制御手段が自動開閉式ロックを開錠することを特徴とするモジュール構造の機器の不正取り付け取り外し防止ロックシステム。
【請求項３】
請求項１のモジュール構造の機器の不正取り付け取り外し防止ロックシステムであって、本体装置にモジュール構造の部品を取り付ける場合に前記自動開閉式ロックを開錠または施錠するためのバイオメトリクス、パスワードによる認証が必要か否かを本体装置の記憶手段または管理コンソールの記憶手段に記憶することを特徴とするモジュール構造の機器の不正取り付け取り外し防止ロックシステム。
【請求項４】
請求項１および請求項３のモジュール構造の機器の不正取り付け取り外し防止ロックシステムであって、請求項３の本体装置にモジュール構造の部品を取り付ける場合に前記自動開閉式ロックを開錠または施錠するためのバイオメトリクス、パスワードによる認証が必要か否かを記憶した記憶手段に従って、前記認証が必要である場合は認証手段がバイオメトリクス、パスワードのどちらか一方または両方で操作者認証を行い認証が一致した場合はロック制御手段が自動開閉式ロックを開錠または施錠し、前記認証が不要である場合はロック制御手段が自動開閉式ロックを開錠または施錠することを特徴とするモジュール構造の機器の不正取り付け取り外し防止ロックシステム。
【請求項５】
請求項１のモジュール構造の機器の不正取り付け取り外し防止ロックシステムであって、モジュール構造の部品に交換が必要な障害が発生した場合に前記自動開閉式ロックを開錠または施錠するためのバイオメトリクス、パスワードによる認証が必要か否かを本体装置の記憶手段または管理コンソールの記憶手段に記憶することを特徴とするモジュール構造の機器の不正取り付け取り外し防止ロックシステム。
【請求項６】
請求項１および請求項５のモジュール構造の機器の不正取り付け取り外し防止するロックシステムであって、請求項５のモジュール構造の部品に交換が必要な障害が発生した場合に前記自動開閉式ロックを開錠または施錠するためのバイオメトリクス、パスワードによる認証が必要か否かを記憶した記憶手段に従って、前記認証が必要である場合は認証手段がバイオメトリクス、パスワードのどちらか一方または両方で操作者認証を行い認証が一致した場合はロック制御手段が自動開閉式ロックを開錠または施錠し、前記認証が不要である場合はロック制御手段が自動開閉式ロックを開錠または施錠することを特徴とするモジュール構造の機器の不正取り付け取り外し防止ロックシステム。
【発明の詳細な説明】
【技術分野】
【０００１】
本発明は、モジュール構造の機器の不正な取り付けや取り外しを防止するロックシステムに関するものである。
【背景技術】
【０００２】
モジュール構造の機器は、部品の取り付けや取り外しがモジュール単位で容易に行うことができる利点があり、情報機器などの構造として実用に共されている。しかし、モジュール構造の機器は、部品の取り付けや取り外しが容易に行えることから、部品の不正な取り付けや取り外しを防止する必要がある。
【０００３】
図１はモジュール構造の機器の外観例を示したものであり、１０１は本体装置、１０２はモジュール構造の部品、１０３は部品１０２を取り付けるスペースを表す。図２は図1の上面からの透視図を示したものであり、２０１は本体装置１０１と部品１０２を接続するための接続部、２０２は部品１０２の不正な取り付けや取り外しを防止するための鍵を表す。本体装置１０１に部品１０２を取り付ける場合は、取り付けるスペース１０３に部品１０２を挿し込み、部品１０２と接続部２０１を接続する。本体装置１０１から部品１０２を取り外す場合は、部品１０２と接続部２０１の接続を外し、本体装置１０１から部品１０２を抜き去る。部品１０２は、接続部２０１から容易に外すことができるため、部品１０２の不正な取り付けや取り外しが容易にできる問題があった。
【０００４】
この防止策として、部品１０２に鍵２０２を取り付け、部品１０２の不正取りや付け取り外しを防止する方法がある。しかしこの方法では、部品１０２の取り付けや取り外し作業を行う場合に、鍵の開錠や施錠をする作業者が本体装置１０１の前で作業する必要がある。また、部品数分の鍵を安全な場所に保管する必要があり、鍵の管理が煩雑になる。
【０００５】
【非特許文献１】「日経コンピュータ  ＮＯ．６７３」日経ＢＰ社出版  ２００７年
【発明の開示】
【発明が解決しようとする課題】
【０００６】
本発明が解決しようとする課題は、モジュール構造の部品の取り付け取り外し作業を行う場合に、作業者は本体装置の前でモジュール構造の部品の不正取り付け取り外しを防止するために取り付けた鍵の開錠や施錠作業を行う必要がある点である。
【課題を解決するための手段】
【０００７】
本発明は、モジュール構造の部品の不正な取り付けや取り外しを防止するため、本体装置とモジュール構造の部品を接続する接続部に自動開閉式ロックを有し、前記自動開閉式ロックを自動操作または管理コンソールからの遠隔操作により開錠や施錠することを最も主要な特徴とする。
【発明の効果】
【０００８】
本発明は、モジュール構造の部品の不正な取り付けや取り外しを防止するために取り付けた自動開閉式ロックの開錠や施錠を自動操作または管理コンソールからの遠隔操作により行うため、鍵の開錠や施錠作業を本体装置の前で行う必要がなくなる効果がある。
【発明を実施するための最良の形態】
【０００９】
本発明の請求項１に記載の発明は、モジュール構造の機器の本体装置と、モジュール構造の部品と、前記本体装置および前記モジュール構造の部品を管理制御する管理コンソールからなる。前記本体装置は、モジュール構造の部品を取り付けるためのスペースと、本体装置とモジュール構造の部品を接続するための接続部と、モジュール構造の部品の不正取り付け取り外しを防止するための自動開閉式ロックと、自動開閉式ロックの開錠や施錠の動作を行うロック開閉手段と、自動開閉式ロックの開錠や施錠を判断しロック開閉手段を制御するロック制御手段と、ロック制御手段の不正操作を防止するためにバイオメトリクス、パスワードによってロック制御手段の操作者を特定する認証手段と、本体装置に取り付けられたモジュール構造の部品の種類および取り付けスペースの位置を特定する部品特定手段と、モジュール構造の部品の障害を検出する障害検出手段と、管理者が本体装置に対して設定した内容を記憶する記憶手段と、本体装置と管理コンソールが通信を行う通信手段を有する。前記管理コンソールは、管理者が管理コンソールに対して設定した内容を記憶する記憶手段と、管理コンソールと本体装置が通信を行う通信手段と、本体装置を制御する制御手段を有する。本体装置はネットワークを介して管理コンソールと接続されており、管理者は管理コンソールの表示手段および入力手段および通知手段を介して本体装置を管理制御する。自動開閉式ロックは、自動操作または管理コンソールからの遠隔操作により開錠または施錠する。
【００１０】
以下、本発明の実施例について、図１から図７を用いて説明する。
【実施例１】
【００１１】
本発明の実施例１の説明において、本体装置１０１から部品１０２を取り外す場合の作業一例として、図５のフローチャートをもとに説明する。部品１０２は本体装置１０１の接続部２０１に接続されており、部品１０２の不正取り付け取り外しを防止するための自動開閉式ロック３０１で施錠されている。
【００１２】
まず管理者は、管理コンソール３０３よりロック制御手段４０２に対して、部品１０２の取り外しを指示する（Ｓ１０１）。
【００１３】
ロック制御手段４０２は、自動開閉式ロック３０１を開錠するに当たり、操作者を特定するための認証を要求する（Ｓ１０２）。
【００１４】
認証手段４０３はバイオメトリクス、パスワードの両方またはどちらか一方による操作者認証を行い、認証に一致した場合はロック制御手段４０２がロック開閉手段４０１を動作させ自動開閉式ロック３０１を開錠する（Ｓ１０３）。
【００１５】
管理者は本体装置１０１から部品１０２を取り外す（Ｓ１０４）。
【実施例２】
【００１６】
本発明の実施例２の説明において、本体装置１０１のスペース１０３に部品１０２を取り付ける場合の作業一例として、図６のフローチャートをもとに説明する。本体装置１０１のスペース１０３に部品１０２は取り付けられておらず、部品１０２の不正取り付けを防止するための自動開閉式ロック３０１が施錠されている。
【００１７】
まず管理者は管理コンソール３０３より、本体装置１０１に部品１０２を取り付ける場合に自動開閉式ロック３０１を開錠または施錠するためのバイオメトリクス、パスワードによる認証が必要か否かを、本体装置１０１の記憶手段４０６または管理コンソール３０３の記憶手段４０８に記憶させる（Ｓ２０１）。
【００１８】
管理者は、管理コンソール３０３よりロック制御手段４０２に対して、スペース１０３への部品１０２の取り付けを指示する（Ｓ２０２）。
【００１９】
ロック制御手段４０２は、自動開閉式ロック３０１を開錠するに当たり、操作者を特定するための操作者認証が必要か否かを、前記Ｓ２０１にて記憶した記憶手段に従って判断する（Ｓ２０３）。
【００２０】
前記操作者認証が必要であると判断した場合は、認証手段４０３はバイオメトリクス、パスワードの両方またはどちらか一方による操作者認証を行い、認証に一致した場合はロック制御手段４０２がロック開閉手段４０１を動作させ自動開閉式ロック３０１を開錠する（Ｓ２０４）。
【００２１】
前記操作者認証が不要であると判断した場合は、ロック制御手段４０２がロック開閉手段４０１を動作させ自動開閉式ロック３０１を開錠する（Ｓ２０５）。
【００２２】
管理者は、本体装置１０１のスペース１０３に部品１０２を取り付ける（Ｓ２０６）。
【００２３】
部品検出手段４０４は、スペース１０３に部品１０２が取り付けられたことを検知しロック制御手段４０２に通知する。ロック制御手段４０２は、自動開閉式ロック３０１を施錠するに当たり、操作者を特定するための操作者認証が必要か否かを、前記Ｓ２０１にて記憶した記憶手段に従って判断する（Ｓ２０７）。
【００２４】
前記操作者認証が必要であると判断した場合は、認証手段４０３はバイオメトリクス、パスワードの両方またはどちらか一方による操作者認証を行い、認証に一致した場合はロック制御手段４０２がロック開閉手段４０１を動作させ自動開閉式ロック３０１を施錠する（Ｓ２０８）。
【００２５】
前記操作者認証が不要であると判断した場合は、ロック制御手段４０２がロック開閉手段４０１を動作させ自動開閉式ロック３０１を施錠する（Ｓ２０９）。
【実施例３】
【００２６】
本発明の実施例３の説明において、部品１０２に交換が必要な障害が発生し部品１０２を交換する場合の作業一例として、図７のフローチャートをもとに説明する。部品１０２は本体装置１０１の接続部２０１に接続されており、部品１０２の不正取り付け取り外しを防止するための自動開閉式ロック３０１で施錠されている。
【００２７】
まず管理者は管理コンソール３０３より、部品１０２に交換が必要な障害が発生し部品１０２を交換する場合に自動開閉式ロック３０１を開錠または施錠するためのバイオメトリクス、パスワードによる認証が必要か否かを、本体装置１０１の記憶手段４０６または管理コンソール３０３の記憶手段４０８に記憶させる（Ｓ３０１）。
【００２８】
部品１０２に交換が必要な障害が発生する。障害検出手段４０５が部品１０２に交換が必要な障害が発生したことを検出し、ロック制御手段４０２に通知する（Ｓ３０２）。
【００２９】
ロック制御手段４０２は、自動開閉式ロック３０１を開錠するに当たり、操作者を特定するための操作者認証が必要か否かを、前記Ｓ３０１にて記憶した記憶手段に従って判断する（Ｓ３０３）。
【００３０】
前記操作者認証が必要であると判断した場合は、認証手段４０３はバイオメトリクス、パスワードの両方またはどちらか一方による操作者認証を行い、認証に一致した場合はロック制御手段４０２がロック開閉手段４０１を動作させ自動開閉式ロック３０１を開錠する（Ｓ３０４）。
【００３１】
前記操作者認証が不要であると判断した場合は、ロック制御手段４０２がロック開閉手段４０１を動作させ自動開閉式ロック３０１を開錠する（Ｓ３０５）。
【００３２】
管理者は、障害が発生した部品１０２を交換する（Ｓ３０６）。
【００３３】
部品検出手段４０４は、本体装置１０１に部品１０２が取り付けられたことを検知し、ロック制御手段４０２に通知する。ロック制御手段４０２は、自動開閉式ロック３０１を施錠するに当たり、操作者を特定するための操作者認証が必要か否かを、前記Ｓ３０１にて記憶した記憶手段に従って判断する（Ｓ３０７）。
【００３４】
前記操作者認証が必要であると判断した場合は、認証手段４０３はバイオメトリクス、パスワードの両方またはどちらか一方による操作者認証を行い、認証に一致した場合はロック制御手段４０２がロック開閉手段４０１を動作させ自動開閉式ロック３０１を施錠する（Ｓ３０８）。
【００３５】
前記操作者認証が不要であると判断した場合は、ロック制御手段４０２がロック開閉手段４０１を動作させ自動開閉式ロック３０１を施錠する（Ｓ３０９）。
【産業上の利用可能性】
【００３６】
一般的に本体装置の鍵の管理者と部品の取り付けや取り外しを行う作業者は担当者が異なるため、部品に障害が発生し部品の交換を行う場合、本体装置の鍵の管理者と部品の交換作業者の両名が本体装置の前に集合しなければ交換作業を行うことができない。本発明では、交換する部品の自動開閉式ロックを自動または遠隔からの手動操作により開錠や施錠するため、部品の交換作業者のみ本体装置の前に集合することで交換作業を行うことが可能であり、部品の障害からの復旧時間を短縮することができる。
【図面の簡単な説明】
【００３７】
【図１】モジュール構造の機器の外観例を示す図である（実施例１または実施例２または実施例３）。
【図２】図１の上面からの透視図を示した図である（実施例１または実施例２または実施例３）。
【図３】モジュール構造の部品の不正取り付け取り外しを防止する方法を示した概略図である（実施例１または実施例２または実施例３）。
【図４】モジュール構造の部品の不正取り付け取り外しを防止するロックシステムのシステムブロック図である（実施例１または実施例２または実施例３）。
【図５】本体装置からモジュール構造の部品を取り外す場合のロックシステム制御手段を示したフローチャートである（実施例１）。
【図６】本体装置にモジュール構造の部品を取り付ける場合のロックシステム制御手段を示したフローチャートである（実施例２）。
【図７】モジュール構造の部品に交換が必要な障害が発生し部品を交換する場合のロックシステム制御手段を示したフローチャートである（実施例３）。
【符号の説明】
【００３８】
１０１…モジュール構造の機器の本体装置、１０２…モジュール構造の機器の部品、１０３…モジュール構造の機器の部品を取り付けるスペース、２０１…接続部、２０２…鍵、３０１…自動開閉式ロック、３０２…ネットワーク、３０３…管理コンソール、４０１…ロック開閉手段、４０２…ロック制御手段、４０３…認証手段、４０４…部品特定手段、４０５…障害検知手段、４０６、４０８…記憶手段、４０７、４１１…通信手段、４０９…表示手段、４１０…入力手段、４１２…制御手段、４１３…通知手段。
【図１】
2010024730.tif 000003
【図２】
2010024730.tif 000004
【図３】
2010024730.tif 000005
【図４】
2010024730.tif 000006
【図５】
2010024730.tif 000007
【図６】
2010024730.tif 000008
【図７】
2010024730.tif 000009